(57)【特許請求の範囲】
【請求項１】
水溶性フィルムと、液体洗濯洗剤組成物とを含む水溶性単位用量物品であって、
前記液体洗濯洗剤組成物が、
ａ．液相と、
ｂ．前記液体洗濯洗剤組成物の０．５重量％〜１５重量％の固体酵素粒子と、
を含み、
前記固体酵素粒子が、前記液相内に分散しており、
前記液相が、必須成分として１，２プロパンジオールを含み、１，２プロパンジオールが単独で用いられる場合には、１，２プロパンジオールを前記液体洗濯洗剤組成物の５重量％〜４０重量％含み、または１，２プロパンジオールと、エチレングリコール、１，３プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物から選択されるいずれかのアルコールと、を組み合わせて用いる場合には、その合計量が前記液体洗濯洗剤組成物の５重量％〜４０重量％であり、かつ
前記液体洗濯洗剤組成物の１０重量％〜３０重量％の非アミン中和直鎖アルキルベンゼンスルホネートを含み、前記液体洗濯洗剤組成物が、前記液体洗濯洗剤組成物の１０重量％未満のアミン中和アニオン性界面活性剤を含み、
前記液体洗濯洗剤組成物が、前記液体洗濯洗剤組成物の０．５重量％〜１５重量％の水を含み、
前記液体洗濯洗剤組成物が、前記液体洗濯洗剤組成物の５重量％未満のヒドロキシル含有アミンを含む、水溶性単位用量物品。
【請求項２】
前記酵素が、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物を含む群から選択される、請求項１に記載の水溶性単位用量物品。
【請求項３】
前記液体洗濯洗剤組成物が、前記液体洗濯洗剤組成物の０．５重量％〜１０重量％の前記固体酵素粒子を含む、請求項１又は２に記載の水溶性単位用量物品。
【請求項４】
前記液相中の前記１，２プロパンジオールの含有量、または前記１，２プロパンジオールと前記他のアルコールとの合計含有量が、前記液体洗濯洗剤組成物の５重量％〜２０重量％である請求項１〜３のいずれか一項に記載の水溶性単位用量物品。
【請求項５】
前記液相が、アルキルサルフェートアニオン性界面活性剤、天然若しくは合成的に誘導された脂肪族アルコールエトキシレート非イオン性界面活性剤、又はこれらの混合物を含む、請求項１〜４のいずれか一項に記載の水溶性単位用量物品。
【請求項６】
構造化剤を含む、請求項１〜５のいずれか一項に記載の水溶性単位用量物品。
【請求項７】
前記固体粒子が、２μｍ〜５０μｍの平均粒径分布を有する、請求項１〜６のいずれか一項に記載の水溶性単位用量物品。
【請求項８】
前記液体洗濯洗剤組成物が、香料原材料を含む、請求項１〜７のいずれか一項に記載の水溶性単位用量物品。
【請求項９】
前記液体洗濯洗剤組成物が、補助成分を含み、前記補助成分が、漂白剤、漂白触媒、染料、色調染料、アルコキシル化ポリアミン及びポリエチレンイミンを含む洗浄ポリマー、汚れ放出ポリマー、界面活性剤、溶媒、移染抑制剤、キレート剤、酵素、香料、カプセル化香料、ポリカルボキシレート、構造化剤、及びこれらの混合物を含む群から選択される、請求項１〜８のいずれか一項に記載の水溶性単位用量物品。
【請求項１０】
前記水溶性単位用量物品が、少なくとも２つの区画を含む、請求項１〜９のいずれか一項に記載の水溶性単位用量物品。
【請求項１１】
請求項１〜１０のいずれか一項に記載の水溶性単位用量物品に含まれる前記液体洗濯洗剤組成物の製造方法であって、前記固体酵素粒子を添加する工程を含み、前記固体粒子が、５００μｍ未満の平均粒径分布を有する、方法。
【発明の詳細な説明】
【技術分野】
【０００１】
本発明は、液体洗濯洗剤組成物及びその使用方法の分野である。
【背景技術】
【０００２】
平衡相対湿度の低い液体洗濯洗剤組成物は、微生物汚染されにくいという利点を有する。また、水などの不必要な「充填剤」液体の存在を最小限に抑える、いわゆる凝縮型液体が好まれる傾向がある。このような組成物は、不要な物質を輸送する必要性が少ないのでより環境に優しい。したがって、業界では、水などの非活性物質の濃度を最小化する、いわゆる凝縮型液体を使用することに対する動きがある。このような液体洗濯洗剤組成物は、直鎖アルキルベンゼンスルホネートなどのアニオン性界面活性剤と、他の非界面活性剤洗浄及び／又はケア酵素の両方の存在を必要とする。
【０００３】
しかし、このような凝縮型組成物は、アニオン性界面活性剤などの洗浄材料の濃度が相対的に高いことから、多くの場合高粘度を有することがある。従来、液体洗濯洗剤組成物の消費者が許容可能な粘度を確保するために、このような組成物ではヒドロキシル含有アミンが使用されてきた。また、製造中に組成物の加工性をもたらすために許容可能な粘度が必要とされている。ヒドロキシル含有アミンは、多くの場合、直鎖アルキルベンゼンスルホネートなどのアニオン性洗浄界面活性剤のための中和剤として使用される。
【０００４】
しかし、現在、このようなヒドロキシル含有アミンの全体濃度を低下させることが望まれている。
【０００５】
公知の相対湿度の低い洗濯洗剤組成物のヒドロキシル含有アミンの濃度を低下させると、消費者が組成物を正確に注ぎ、投入する能力に負の影響を与える高粘度の組成物が生じることがある。また、製造中にこのような粘性組成物を取り扱うのは困難であるので、組成物の加工性が影響を受ける。
【発明の概要】
【発明が解決しようとする課題】
【０００６】
したがって、より低濃度のヒドロキシル含有アミン化合物を含有するが、消費者が許容可能な及び／又はプロセス許容可能な粘度を呈する、相対湿度の低い液体洗濯洗剤組成物が当該技術分野において必要とされている。
【０００７】
驚くべきことに、上記問題点は、本発明の特定の処方スペース（formulation space）によって克服されることが見出された。以下に記載する処方スペースは、低い相対湿度を有しかつより低濃度のヒドロキシル含有アミン化合物を含むが、許容可能な粘度を有する液体組成物を提供することができる。
【課題を解決するための手段】
【０００８】
また、本発明は、液体洗濯洗剤組成物であって、
ａ．液相と、
ｂ．当該液体洗剤組成物の０．５重量％〜１５重量％の固体酵素粒子と、を含み、
当該固相が、当該液相内に分散しており、当該水溶性固相が、当該液体洗濯洗剤組成物を１２Ｎ（１２００Ｇ）で１０分間遠心分離したときに得られる固体として定義され、
当該液相が、当該液体の５重量％〜４０重量％の、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択されるアルコール、好ましくは、１，２プロパンジオール、ジプロピレングリコール、ポリプロピレングリコール、２，３−ブタンジオール、ジプロピレングリコールｎ−ブチルエーテル、及びこれらの混合物を含む群から選択されるアルコールと、
当該組成物の１０重量％〜３０重量％の非アミン中和直鎖アルキルベンゼンスルホネートと、を含み、当該液体洗濯洗剤組成物が、当該液体洗濯洗剤組成物の１０重量％未満のアミン中和アニオン性界面活性剤を含み、
当該組成物が、当該組成物の０．５重量％〜５０重量％の水を含み、
当該組成物が、当該組成物の５重量％未満のヒドロキシル含有アミンを含む、液体洗濯洗剤組成物である。
【発明を実施するための形態】
【０００９】
洗濯洗剤組成物
本発明の液体洗濯洗剤組成物は、液相と、当該組成物の０．５重量％〜１５重量％の固体酵素粒子とを含む。固体粒子は、液相内に分散している。好適な酵素については、以下でより詳細に説明する。固体粒子及び液相については、以下でより詳細に説明する。
【００１０】
好ましくは、液体洗濯洗剤組成物は、１０００ｓ−１の剪断速度で３００ｍＰａ・ｓ〜７００ｍＰａ・ｓ、より好ましくは３５０ｍＰａ・ｓ〜６００ｍＰａ・ｓの粘度を有する。粘度を測定するための例示的な方法は、製造業者の説明書に従って、２０℃で１０００μｍのギャップを使用してＴＡ  ｉｎｓｔｒｕｍｅｎｔｓ製のレオメータＤＨＲ１を使用することである。
【００１１】
本発明の液体洗濯洗剤組成物は、好ましくは、不透明である。理論に束縛されるものではないが、消費者は、優れた洗浄のシグナルとなるので、不透明な組成物を好む。不透明とは、本明細書では、当該組成物が、７０超、より好ましくは７２超、より好ましくは７５超の新鮮ハンターＬ値を有することを意味する。ハンター色空間は、立方体として体系化される。Ｌ軸は、上から下に延びる。最大Ｌ値は白色の１００であり、最小値は黒色の０である。ａ及びｂ軸は、特定の数値限定を有しないが、正のａは赤色、負のａは緑色、正のｂは黄色、及び負のｂは青色である（図１を参照）。デルタ値（ΔＬ、Δａ及びΔｂ）を測定することができ、これは色変化に関連する。合計色差であるΔＥを計算することもできる。ΔＥは、試験サンプルと比較サンプルとの間のＬ、ａ及びｂの差を考慮した単一の値である。ΔＥは、以下のとおり計算される。
Ｌ１、ａ１、ｂ１並びにＬ２、ａ２及びｂ２を用いて、
ΔＥ＝√（Ｌ２−Ｌ１）２＋（ａ２−ａ１）２＋（ｂ２−ｂ１）２
【００１２】
最小可知差異（ＪＮＤ）は、２．３を超えるΔＥを特徴とする。ＪＮＤは、特定の感覚刺激の出発レベルと二次レベルとの間の人間の目で感知可能な最小差である。
【００１３】
本発明の測定は、以下のとおり設定したＨｕｎｔｅｒＬａｂ色測定機器（Ｈｕｎｔｅｒ  Ｌａｂ  Ｃｏｌｏｒ  Ｑｕｅｓｔ  ＸＥ）を用いて行われる；
光照射器：Ｄ６５、観察者の角度：１０°、モード：反射
【００１４】
この機器は、製造業者の指示書に従って用いられる。２０ｍＬのサンプルを、長さ１０ｍｍ及び寸法５５ｍｍ×５７ｍｍの固定経路を有する光学的に透明なガラスのセル内で試験する。測定の種類は、ポートにおいてサンプルの拡散及び正反射率を測定する反射測定ＲＳＩＮである。この測定は、正反射性の排出ポートの扉を閉じた状態で行う。
【００１５】
新鮮ハンター色値は、調製直後の新鮮サンプルの色パラメータの尺度である。
【００１６】
本発明の液体洗濯洗剤組成物全体は、事実上液体である。すなわち、たとえ液相内に分散している固体粒子を含んでいようと、当該組成物は、固体又は顆粒状組成物ではなく、液体の性質を有する。本発明の洗濯洗剤組成物に関連して、用語「液体」は、このような分散液、ゲル、ペーストなどの形態を包含する。液体組成物は、好適に細分された形態の気体を含んでもよい。しかし、液体組成物は、錠剤又は顆粒などの全体が非液体である形態を除外する。
【００１７】
用語「液体洗濯洗剤組成物」とは、家庭用洗濯機で布地を濡らし、処理することができる、例えば、衣類を洗浄することができる液体を含む任意の洗濯洗剤組成物を指す。
【００１８】
液体組成物は、単位用量物品に処方され得る。本発明の単位用量物品は、少なくとも１つの区画に液体組成物を完全に封入する水溶性フィルムを含む。好適な単位用量物品については、以下でより詳細に説明する。
【００１９】
液体洗濯洗剤組成物は、完全に処方された消費者製品として使用してもよく、又は１つ以上の更なる成分に添加して、完全に処方された消費者製品を形成してもよい。液体洗濯洗剤組成物は、布地を洗浄液に加える前に、布地、好ましくは布地のしみに加える「前処理」組成物であってもよい。
【００２０】
液体洗濯洗剤組成物は、当該組成物の１０重量％〜３０重量％の直鎖アルキルベンゼンスルホネートを含む。
【００２１】
液体洗濯洗剤組成物は、当該液体洗濯洗剤組成物の１０重量％未満、又は更には５重量％未満、又は更には２重量未満の、アミン中和アニオン性界面活性剤を含み、当該アニオン性界面活性剤は、好ましくは、直鎖アルキルベンゼンスルホネート、アルキルサルフェート、及びこれらの混合物を含む群から選択される。
【００２２】
液体洗濯洗剤組成物は、当該組成物の０．５重量％〜５０重量％の水を含み、好ましくは、２０℃で６５％未満の平衡相対湿度を有する。
【００２３】
当該組成物は、当該組成物の５重量％未満のヒドロキシル含有アミンを含む。好適なアミンについては、以下でより詳細に説明する。
【００２４】
液体洗濯洗剤組成物は、界面活性剤を含み得る。好適な界面活性剤については、以下でより詳細に説明する。
【００２５】
液体洗濯洗剤組成物は、シリカを含み得る。
【００２６】
液体洗濯洗剤組成物は、香料原材料を含み得る。香料原材料は、好ましくは、アルデヒド、ケトン、又はこれらの混合物から選択される。
【００２７】
本発明の液体洗濯洗剤組成物は、補助成分を含み得、当該補助成分は、固相中、液相中、又は両方に存在する。
【００２８】
理論に束縛されるものではないが、ヒドロキシル含有アミン化合物の除去によって、多数の洗剤成分が溶液から出てくると考えられる。次に、これによって、組成物の粘度が増大する。本発明は、許容可能な粘度の組成物が得られるように、慎重に固体形態と液体形態との間で成分の形態のバランスをとる。
【００２９】
更に、ヒドロキシル含有アミンの除去によって、処方が相分離する恐れがある（すなわち、少なくとも２つの明白に異なる相が見えることがある）。本発明は、相分離を最小限に抑えながら、低い相対湿度及びより低濃度のヒドロキシル含有アミン化合物を有する組成物を提供するという更なる効果を提供する。
【００３０】
固体酵素粒子
本発明の液体洗濯洗剤組成物は、固体酵素粒子を含み、当該固体酵素粒子は、液相に分散している。好ましくは、酵素粒子は、部分的に又は完全に水溶性である。
【００３１】
「固体」とは、本明細書では、固体である、すなわち、液体ではない任意の材料を意味する。固体は、粒子形態である。用語「粒子」は、本明細書では、その最も広い意味で用いられる。粒子は、２μｍ〜５０μｍの平均粒径分布を有し得る。
【００３２】
「水溶性」とは、本明細書では、最大孔径２０マイクロメートルのガラスフィルターの使用後に本明細書に記載の方法によって測定したとき、固体の少なくとも７５％、又は更には少なくとも８５％、又は更には少なくとも９５％が水に溶解することを意味する。
【００３３】
予め秤量した３Ｌのビーカーに、５グラム±０．１グラムの固体を添加し、２Ｌ±５ｍＬの蒸留水を添加する。これを、６００ｒｐｍに設定した電磁攪拌器（Ｌａｂｌｉｎｅモデル番号１２５０又は等価物）及び１５ｃｍの電磁攪拌器により、３５℃にて３０分間激しく攪拌した。次いで、この混合物を、上に定義した孔径（最大２０マイクロメートル）の折り畳まれた定性焼結ガラスフィルターで濾過する。回収した濾液から任意の従来の方法によって水を乾燥させ、残った材料の重量を測定する（これが溶解又は分散画分である）。次いで、溶解度又は分散度の割合を計算することができる。
【００３４】
水溶性固相は、液体洗濯洗剤組成物を１２Ｎ（１２００Ｇ）で１０分間遠心分離したときに固体画分中に得られる任意の材料からなる。好ましい方法は、以下である。
１．使用前に、遠心分離器（Ｓｉｇｍａ  Ｃｅｎｔｒｉｆｕｇｅ  ６−１５Ｈ、６ポットロータ）を所望の温度に予め加熱する。遠心管をロータにロードするとき、当該遠心管は、常に、正反対の位置に互いに対向して配置しなければならず、試験することができるサンプルの数は、２、３、４及び６である。
２．８５ｍＬのポリカーボネートねじ蓋付き試験管を使用する。各管に５０ｇの材料を充填し、合計質量：管＋蓋＋試験材料を測定した。
３．均一に離間するように遠心分離ロータに管を入れ、ロータカバーをしっかり締結する。遠心管をロータにロードするとき、当該遠心管は、常に、正反対の位置に互いに対向して配置しなければならず、試験することができるサンプルの数は、２、３、４及び６である。
４．遠心分離時間を９０分に設定する。遠心分離器（１７１１９相対遠心分離力まで速度を自動的に徐々に増大させる（分離速度を最大化するためにこの遠心分離器の最大ＲＣＦが用いられる）を起動させる。
５．数回使用後に遠心管に亀裂が入り得るので、９０分の終わりに、材料がなくなっていないことを確実に確認するために各管を再計量する。
６．遠心分離の最後に様々な画分を得ることができ、画分の数はサンプルの性質に依存し、固体画分は、最も密度が高く、底部が不透明な画分であり、比較的高粘度である。次いで、管から最上相を簡単に除去することによって、底画分を得ることができる。
【００３５】
液体洗濯洗剤組成物は、当該液体洗濯洗剤組成物の０．５重量％〜１０重量％、又は更には０．５重量％〜７．５重量％、又は更には０．５重量％〜５重量％の酵素粒子を含み得る。
【００３６】
酵素は、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ、又はこれらの混合物を含む群から選択され得る。典型的な組み合わせは、プロテアーゼ、リパーゼ、クチナーゼ及び／又はセルラーゼのような従来の適用可能な酵素をアミラーゼと組み合わせた混液である。
【００３７】
典型的な組み合わせは、例えば、アミラーゼとともにプロテアーゼ及びリパーゼを含み得る酵素カクテルである。
【００３８】
好ましい酵素は、プロテアーゼを含み得る。好適なプロテアーゼとしては、例えば、サブチリシン（ＥＣ  ３．４．２１．６２）などの中性又はアルカリ性微生物セリンプロテアーゼを含むメタロプロテアーゼ及びセリンプロテアーゼが挙げられる。一態様では、このような好適なプロテアーゼは、微生物起源のものであってよい。好適なプロテアーゼとしては、前述の好適なプロテアーゼの化学的又は遺伝的に改変された突然変異体が挙げられる。一態様では、好適なプロテアーゼは、アルカリ性微生物プロテアーゼ又は／及びトリプシン型プロテアーゼなどのセリンプロテアーゼであってよい。好適な中性又はアルカリ性プロテアーゼの例としては、以下が挙げられる。
（ａ）バチルス・レンタス（Bacillus lentus）、バチルス・アルカロフィラス（B.alkalophilus）、バチルス・サブチルス（B.subtilis）、バチルス・アミロリケファシエンス（B.amyloliquefaciens）、バチルス・プミルス（Bacillus pumilus）及びバチルス・ギブソニイ（Bacillus gibsonii）などのバチルス属由来のものを含むサブチリシン（ＥＣ  ３．４．２１．６２）。
（ｂ）フサリウムプロテアーゼ及びセルロモナス（Cellumonas）に由来するキモトリプシンプロテアーゼを含む、（例えば、ブタ起源又はウシ起源の）トリプシンなどのトリプシン型又はキモトリプシン型プロテアーゼ。
（ｃ）バチルス・アミロリケファシエンスに由来するものを含むメタロプロテアーゼ。
（ｄ）バチルス属の種ＴＹ−１４５、ＮＣＩＭＢ  ４０３３９に由来するサブチリシンプロテアーゼ、特に、１７１、１７３、１７５又は１７９位に置換及び／又は欠失を有する、記載する変異型。
【００３９】
好ましいプロテアーゼとしては、バチルス・ギブソニイ、バチルス・アミロリケファシエンス、バチルス属の種ＴＹ−１４５又はバチルス・レンタスに由来するものが挙げられる。
【００４０】
好適な市販のプロテアーゼ酵素としては、Ｎｏｖｏｚｙｍｅｓ  Ａ／Ｓ（Ｄｅｎｍａｒｋ）によって商標名Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｂｌａｚｅ（登録商標）、Ｅｖｅｒｌａｓｅ（登録商標）及びＥｓｐｅｒａｓｅ（登録商標）として販売されているもの、ＤｕＰｏｎｔ  Ｉｎｔｅｒｎａｔｉｏｎａｌ  Ｂｉｏｓｃｉｅｎｃｅｓによって商標名Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、Ｕｌｔｉｍａｓｅ（登録商標）、Ｐｕｒａｆｅｃｔ  ＯＸＰ（登録商標）及びＰｒｅｆｅｒｅｎｚ  Ｐ（登録商標）シリーズとして販売されているもの、Ｓｏｌｖａｙ  Ｅｎｚｙｍｅｓによって商標名Ｏｐｔｉｃｌｅａｎ（登録商標）及びＯｐｔｉｍａｓｅ（登録商標）として販売されているもの、ＢＡＳＦから入手可能なもの、すなわちＢＬＡＰ（突然変異Ｓ９９Ｄ＋Ｓ１０１Ｒ＋Ｓ１０３Ａ＋Ｖ１０４Ｉ＋Ｇ１５９Ｓを有する米国特許第５，３５２，６０４号の図２９に示されている配列、以下ＢＬＡＰと称する）、ＢＬＡＰ  Ｒ（突然変異Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（突然変異Ｓ３Ｔ＋Ｖ４Ｉ＋Ｖ２０５Ｉを有するＢＬＡＰ）及びＢＬＡＰ  Ｆ４９（突然変異Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（いずれもＢＡＳＦ製）、並びに花王株式会社から入手可能なＫＡＰ（突然変異Ａ２３０Ｖ＋Ｓ２５６Ｇ＋Ｓ２５９Ｎを有するバチルス・アルカロフィラスのサブチリシン）が挙げられる。
【００４１】
好適なα−アミラーゼとしては、細菌又は真菌起源のものが挙げられる。化学的に又は遺伝的に改変された突然変異体（変異体）が含まれる。好ましいアルカリ性α−アミラーゼは、バチルス属の菌株、例えば、バチルス・リケニフォルミス、バチルス・アミロリケファシエンス、バチルス・ステアロサーモフィルス（Bacillus stearothermophilus）、バチルス・サブチルス、又は他のバチルス属の種、例えば、バチルス属の種、ＮＣＩＢ  １２２８９、ＮＣＩＢ  １２５１２、ＮＣＩＢ  １２５１３、ＤＳＭ  ９３７５、ＤＳＭ  １２３６８、ＤＳＭＺ  ｎｏ．１２６４９、ＫＳＭ  ＡＰ１３７８、ＫＳＭ  Ｋ３６又はＫＳＭ  Ｋ３８に由来する。好ましいアミラーゼとしては以下が挙げられる：
（ａ）国際公開第９４／０２５９７号、同第９４／１８３１４号、同第９６／２３８７４号及び同第９７／４３４２４号に記載されている変異体、特に国際公開第９６／２３８７４号に配列番号２として列挙されている酵素に対して、以下の位置：１５、２３、１０５、１０６、１２４、１２８、１３３、１５４、１５６、１８１、１８８、１９０、１９７、２０２、２０８、２０９、２４３、２６４、３０４、３０５、３９１、４０８及び４４４のうちの１つ以上が置換されている変異体。
（ｂ）米国特許第５，８５６，１６４号、並びに国際公開第９９／２３２１１号、同第９６／２３８７３号、同第００／６００６０号及び同第０６／００２６４３号に記載されている変異体、特に国際公開第０６／００２６４３号に配列番号１２として列挙されているＡＡ５６０酵素に対して、以下の位置：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上が置換されており、好ましくはＤ１８３＊及びＧ１８４＊の欠失も含有する変異体。
（ｃ）国際公開第０６／００２６４３号の配列番号４と少なくとも８５％、好ましくは９０％の同一性を示す変異体、バチルス属ＳＰ７２２由来の野性型酵素、特に、１８３及び１８４位に欠失を有する変異体、並びに国際公開第００／６００６０号、同第１１／１００４１０号及び同第１３／００３６５９号に記載の変異体、特に、国際公開第０６／００２６４３号の配列番号４に対して以下の位置：
５１、５２、５４、１０９、３０４、１４０、１８９、１３４、１９５、２０６、２４３、２６０、２６２、２８４、３４７、４３９、４６９、４７６及び４７７のうちの１つ以上が置換されているもの。
（ｄ）バチルス属の種７０７（米国特許第６，０９３，５６２号の配列番号７）由来の野生型酵素と少なくとも９５％の同一性を示す変異体、特に以下の突然変異：Ｍ２０２、Ｍ２０８、Ｓ２５５、Ｒ１７２及び／又はＭ２６１のうちの１つ以上を含むもの。好ましくは、上記のアミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含む。特に好ましいのは、Ｍ２０２Ｌ又はＭ２０２Ｔ突然変異を含むものである。
（ｅ）国際公開第０９／１４９１３０号に記載されている変異体、好ましくは国際公開第０９／１４９１３０号の配列番号１又は配列番号２と少なくとも９０％の同一性を有するもの、ゲオバチルス・ステアロフェルモフィルス（Geobacillus Stearophermophiluss）に由来する野生型酵素又はその切頭バージョン。
（ｆ）国際公開第１０／１１５０２１号に記載されている変異体、特に、国際公開第１０／１１５０２１号の配列番号２と少なくとも７５％、又は少なくとも８５％、又は少なくとも９０％、又は少なくとも９５％を示すもの、バチルス属の種ＴＳ−２３に由来するα−アミラーゼ。
【００４２】
好適な市販のα−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＥＶＥＲＥＳＴ（登録商標）、ＦＵＮＧＡＭＹＬ（登録商標）及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ（Ｗｅｈｌｉｓｔｒａｓｓｅ  ２７ｂ  Ａ−１２００  Ｗｉｅｎ  Ａｕｓｔｒｉａ））、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）及びＰＵＲＡＳＴＡＲ  ＯＸＡＭ（登録商標）、ＰＲＥＦＥＲＥＮＺ  Ｓ１０００及びＰＲＥＦＥＲＥＮＺ  Ｓ１１０を含むＰＲＥＦＥＲＥＮＺ（登録商標）Ｓシリーズ（ＤｕＰｏｎｔ  Ｉｎｄｕｓｔｒｉａｌ  Ｂｉｏｓｃｉｅｎｃｅｓ（Ｐａｌｏ  Ａｌｔｏ，Ｃａｌｉｆｏｒｎｉａ）；並びにＫＡＭ（登録商標）（花王株式会社（日本、〒１０３−８２１０、東京都中央区日本橋茅場町１丁目１４−１０））が挙げられる。一態様では、好適なアミラーゼとしては、ＮＡＴＡＬＡＳＥ（登録商標）、ＥＶＥＲＥＳＴ（登録商標）、ＰＲＥＦＥＲＥＮＺ  Ｓ１０００（登録商標）、ＳＴＡＩＮＺＹＭＥ（登録商標）及びＳＴＡＩＮＺＹＭＥ  ＰＬＵＳ（登録商標）、並びにこれらの混合物が挙げられる。
【００４３】
一態様では、このような酵素は、「第１サイクルのリパーゼ」を含む、リパーゼからなる群から選択することができる。一態様では、リパーゼは、第１の洗浄用リパーゼ、好ましくはＴ２３１Ｒ及びＮ２３３Ｒ突然変異のうちの１つ以上を含む、サーモマイセス・ラヌゲノウス（Thermomyces lanuginosus）由来の野生型リパーゼの変異体である。野生型配列は、Ｓｗｉｓｓｐｒｏｔアクセッション番号Ｓｗｉｓｓ−Ｐｒｏｔ  Ｏ５９９５２（サーモマイセス・ラヌゲノウス（フミコーラ・ラヌギノサ（Humicola lanuginosa）由来）の２６９個のアミノ酸（アミノ酸２３〜２９１）である。好ましい第１のサイクルのリパーゼとしては、以下の位置：２７、３８、５８、６０、８３、９６、１１１、１５０、１６３、２２７、２３１、２３３、２５４、２５５及び２５６のうちの１つ以上に突然変異を有するものが挙げられる。更なる好ましいリパーゼ変異体は、野性型リパーゼよりも正電荷が多い正味電荷を有する。正味電荷は、アニオン性基（Ｄ及びＥ）に−１の電荷を割り当て、カチオン性基（Ｒ及びＫ）に＋１の正味電荷を割り当て、野性型と比較することによって計算することができる。好ましい突然変異としては、Ｄ２７Ｒ、Ｇ３８Ａ、Ｇ９１Ａ、Ｄ９６Ｇ、Ｄ９６Ｅ、Ｄ１１１Ａ、Ｇ１６３Ｋ、Ｇ２２５Ｒ、Ｔ２３１Ｒ、Ｎ２３３Ｒ、Ｄ２５４Ｓ、Ｐ２５６Ｔ、Ｓ５８Ａ、Ｖ６０Ｓ、Ｓ８３Ｔ、Ａ１５０Ｇ、Ｌ２２７Ｇ、Ｉ２５５Ａ及び／又はＰ２５６Ｋが挙げられる。好ましい変異体としては、以下の突然変異を有するものが挙げられる：
（ａ）Ｔ２３１Ｒ＋Ｎ２３３Ｒ；
（ｂ）Ｄ２７Ｒ＋Ｇ３８Ａ＋Ｄ９６Ｅ＋Ｄ１１１Ａ＋Ｇ１６３Ｋ＋Ｔ２３１Ｒ＋Ｎ２３３Ｒ＋Ｄ２５４Ｓ＋Ｐ２５６Ｔ
（ｃ）Ｇ９１Ａ＋Ｄ９６Ｇ＋Ｇ２２５Ｒ＋Ｔ２３１Ｒ＋Ｎ２３３Ｒ
【００４４】
好ましいリパーゼとしては、商標名Ｌｉｐｅｘ（登録商標）、Ｌｉｐｏｃｌｅａｎ（登録商標）、Ｃａｌｉｐｓｏ（登録商標）及びＬｉｐｏｌｅｘ（登録商標）として販売されているものが挙げられる。
【００４５】
一態様では、他の好ましい酵素としては、米国特許第７，１４１，４０３（Ｂ２）号におけるアミノ酸配列の配列番号２と少なくとも９０％、９４％、９７％、及び更には９９％の同一性の配列を有するバチルス属のメンバー並びにこれらの混合物に対して内因性である細菌ポリペプチドを含む、エンド−β−１，４−グルカナーゼ活性（Ｅ．Ｃ．３．２．１．４）を示す真菌及び微生物由来のエンドグルカナーゼが挙げられる。好適なエンドグルカナーゼは、商標名Ｃｅｌｌｕｃｌｅａｎ（登録商標）、Ｃａｒｅｚｙｍｅ（登録商標）、Ｃｅｌｌｕｚｙｍｅ（登録商標）、Ｃａｒｅｚｙｍｅ  Ｐｒｅｍｉｕｍ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ）として販売されている。
【００４６】
他の好ましい酵素としては、商標名Ｐｅｃｔａｗａｓｈ（登録商標）、Ｐｅｃｔａｗａｙ（登録商標）、Ｘｐｅｃｔ（登録商標）として販売されているペクチン酸リアーゼと、商標名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ）製）並びにＰｒｅｆｅｒｅｎｚ  Ｆ（登録商標）及びＰｕｒａｂｒｉｔｅ（登録商標）（ＤｕＰｏｎｔ  Ｉｎｔｅｒｎａｔｉｏｎａｌ  Ｂｉｏｓｃｉｅｎｃｅｓ（Ｐａｌｏ  Ａｌｔｏ，Ｃａｌｉｆｏｒｎｉａ））として販売されているマンナーゼとが挙げられる。
【００４７】
デオキシリボヌクレアーゼ（ＤＮａｓｅ）：好適なデオキシリボヌクレアーゼ（ＤＮａｓｅ）は、ＤＮＡ骨格におけるホスホジエステル結合の加水分解による切断を触媒し、それによって、ＤＮＡを分解する任意の酵素である。本発明によれば、細菌から入手することができるＤＮａｓｅが好ましい；特に、バチルス属から入手することができるＤＮａｓｅが好ましい；特に、バチルス・サブチルス又はバチルス・リケニフォルミスから入手することができるＤＮａｓｅが好ましい。
【００４８】
ペルヒドロラーゼ：好適なペルヒドロラーゼは、過酸素源（例えば、過酸化水素）の存在下でカルボン酸エステル（アシル）基質から過酸が生成される過加水分解反応を触媒することができる。多くの酵素は低レベルでこの反応を実施するが、ペルヒドロラーゼは、高い過加水分解：加水分解比を呈する（多くの場合、１を超える）。好適なペルヒドロダーゼは、植物起源、細菌起源又は真菌起源であってよい。化学的に修飾された又はタンパク質操作された突然変異体が含まれる。
【００４９】
有用なペルヒドロラーゼの例としては、天然に生じるマイコバクテリアペルヒドロラーゼ酵素、又はその変異体が挙げられる。例示の酵素は、マイコバクテリア・スメグマチス（Mycobacterium smegmatis）に由来する。
【００５０】
オキシダーゼ／ペルオキシダーゼ：好適なオキシダーゼ及びペルオキシダーゼ（又は酸化還元酵素）としては、様々な糖オキシダーゼ、ラッカーゼ、ペルオキシダーゼ及びハロペルオキシダーゼが挙げられる。
【００５１】
好適なペルオキシダーゼとしては、Ｉｎｔｅｒｎａｔｉｏｎａｌ  Ｕｎｉｏｎ  ｏｆ  Ｂｉｏｃｈｅｍｉｓｔｒｙ  ａｎｄ  Ｍｏｌｅｃｕｌａｒ  Ｂｉｏｌｏｇｙ（ＩＵＢＭＢ）のＮｏｍｅｎｃｌａｔｕｒｅ  Ｃｏｍｍｉｔｔｅｅによって設定されている酵素分類ＥＣ１．１  １．１．７に含まれるもの、又はペルオキシダーゼ活性を呈するこれに由来する任意の断片が挙げられる。
【００５２】
好適なペルオキシダーゼとしては、植物起源、細菌起源又は真菌起源のものが挙げられる。化学的に修飾された又はタンパク質操作された突然変異体が含まれる。有用なペルオキシダーゼの例としては、ヒトヨタケ属（Coprinopsis）、例えば、Ｃ．シネレア（cinerea）由来のペルオキシダーゼ、及びその変異体が挙げられる。
【００５３】
また、本発明で使用するためのペルオキシダーゼは、ハロペルオキシダーゼ酵素、例えば、クロロペルオキシダーゼ、ブロモペルオキシダーゼ、及びクロロペルオキシダーゼ又はブロモペルオキシダーゼ活性を呈する化合物も含む。ハロペルオキシダーゼは、ハロゲン化物イオンに対する特異性に従って分類される。クロロペルオキシダーゼ（Ｅ．Ｃ．１．１１．１．１０）は、塩化物イオンからの次亜塩素酸塩の形成を触媒する。
【００５４】
一実施形態では、ハロペルオキシダーゼは、クロロペルオキシダーゼである。好ましくは、ハロペルオキシダーゼは、バナジウムハロペルオキシダーゼ、すなわち、バナジウム含有ハロペルオキシダーゼである。本発明の好ましい方法では、バナジウム含有ハロペルオキシダーゼを塩化物イオン源と組み合わせる。
【００５５】
ハロペルオキシダーゼは、多くの異なる真菌、特に、真菌群黒色線菌綱、例えば、カルダリノミセス属（Caldariomyces）、例えば、Ｃ．フマゴ（C.fumago）、アルテルナリア属（Alternaria）、クルブラリア属（Curvularia）、例えば、Ｃ．ベルクロサ（C.verruculosa）及びＣ．イナエクアリス（C.inaequalis）、ドレクスレラ属（Drechslera）、ウロクラジウム属（Ulocladium）、並びにボトリチス属（Botrytis）から単離されている。また、ハロペルオキシダーゼは、シュードモナス属（Pseudomonas）、例えば、Ｐ．ピロシニア（P.pyrrocinia）及びストレプトミセス属（Streptomyces）、例えば、Ｓ．オーレオファシエンス（S.aureofaciens）などの細菌からも単離されている。
【００５６】
好ましい実施形態では、ハロペルオキシダーゼは、クルブラリア属の種、特に、クルブラリア・ベルクロサ若しくはクルブラリア・イナエクアリス、例えば、Ｃ．イナエクアリスＣＢＳ  １０２．４２  ６；又はＣ．ベルクロサＣＢＳ  １４７．６３若しくはＣ．ベルクロサＣＢＳ  ４４４．７０；又はドレクスレラ・ハルトレビイ（Drechslera hartlebii）、デンドリフィエラ・サリナ（Dendryphiella salina）、ファエオトリココニス・クロタラリエ（Phaeotrichoconis crotalarie）、又はゲニクロスポリウム属（Geniculosporium）の種に由来し得る。
【００５７】
本発明に係るオキシダーゼとしては、特に、酵素分類ＥＣ  １．１０．３．２に含まれる任意のラッカーゼ酵素、若しくはラッカーゼ活性を呈するこれに由来する任意の断片、又は類似の活性を示す化合物、例えば、カテコールオキシダーゼ（ＥＣ  １．１０．３．１）、ｏ−アミノフェノールオキシダーゼ（ＥＣ  １．１０．３．４）若しくはビリルビンオキシダーゼ（ＥＣ  １．３．３．５）が挙げられる。
【００５８】
好ましいラッカーゼ酵素は、微生物起源の酵素である。酵素は、植物、細菌又は真菌（糸状菌及び酵母を含む）に由来し得る。
【００５９】
真菌由来の好適な例としては、アスペルギルス属（Aspergillus）、ノイロスポレン属（Neurospora）（例えば、アカパンカビ（N. crassa）、ポドスポラ属（Podospora）、ボトリチス属（Botrytis）、コリビア属（Collybia）、フォメス属（Fomes）、レンチヌス属（Lentinus）、ヒラタケ属（Pleurotus）、ホウロクタケ属（Trametes）（例えば、Ｔ．ビロサ（T. villosa）及びＴ．ベルシコロー（T. versicolor））、リゾクトニア属（Rhizoctonia）（例えば、Ｒ．ソラニ（R. solani））、コプリノプシス属（例えば、Ｃ．シネレア、Ｃ．コマツス（C. comatus）、Ｃ．フリエシイ（C. friesii）及びＣ．ピカチリス（C. plicatilis））、プサチレラ属（Psathyrella）（例えば、Ｐ．コンデレアナ（P. condelleana））、パナエオラス属（Panaeolus）（例えば、Ｐ．パピリオナセウス（P. papilionaceus））、マイセリオフトラ属（Myceliophthora）（例えば、Ｍ．サーモフィラ（M. thermophila））、スチタリジウム属（Schytalidium）（例えば、Ｓ．サーモフィルム（S. thermophilum））、ポリポラス属（Polyporus）（例えば、Ｐ．ピンシツス（P. pinsitus））、フレビア属（Phlebia）（例えば、Ｐ．ラジアータ（P. radiata））又はカワラタケ属（Coriolus）（例えば、Ｃ．イルスツス（C. irsutus））が挙げられる。
【００６０】
細菌由来の好適な例としては、バチルス属の株に由来し得るラッカーゼが挙げられる。コプリノプシス属又はマイセリオフトラ属由来のラッカーゼ、特に、コプリノプシス・シネレア、又はマイセリオフトラ・サーモフィラ由来のラッカーゼが好ましい。
【００６１】
他のオキシダーゼの例としては、アミノ酸オキシダーゼ、グルコースオキシダーゼ、乳酸オキシダーゼ、ガラクトースオキシダーゼ、ポリオールオキシダーゼ及びアルドースオキシダーゼが挙げられるが、これらに限定されない。オキシダーゼ及びその対応する基質は、過酸化水素生成酵素系、ひいては過酸化水素源として用いることができる。ペルオキシダーゼ、ハロペルオキシダーゼ及びペルヒドロラーゼなどのいくつかの酵素は、過酸化水素源を必要とする。ＥＣ  １．１．３．＿、ＥＣ  １．２．３．＿、ＥＣ  １．４．３．＿及びＥＣ  １．５．３．又は類似の分類（Ｉｎｔｅｒｎａｔｉｏｎａｌ  Ｕｎｉｏｎ  ｏｆ  Ｂｉｏｃｈｅｍｉｓｔｒｙによる）について研究することによって、オキシダーゼ及び基質のこのような組み合わせの他の例が当業者に容易に認識される。
【００６２】
また、酵素は、固体形態で又はカプセルとして添加してもよい。固体形態は、層状顆粒などの流動床コーティングによって作製することができる顆粒を含む。好ましくは、上記の顆粒及び／又はカプセルが製品中で安定であるが、水で希釈する際にその酵素負荷量（payload）を放出するように、イオン性強度トリガーを介して誘発される放出を提供するポリマーで、上記のマイクロカプセル及び顆粒をコーティングする。このようなポリマーコーティングの例としては、セルロース誘導体、例えば、ヒドロキシプロピルメチルセルロース誘導体、特に、ヒドロキシルプロピルメチルセルロースフタレート及びセルロースアセテートフタレートが挙げられる。更に好ましいポリマーコーティングは、ポリビニルアルコールである。安定性を促進し、可視相の沈降を防ぐために、任意のカプセル及び／又は顆粒は周囲の液体マトリクスと密度が一致していることが更に好ましい。更なる態様では、酵素を、ポリアミン、好ましくは分岐ポリアミンの界面重合反応から誘導されたカプセル及び／又はマイクロカプセルとして添加してよい。上記のマイクロカプセルは、ＢＡＳＦによって商標名Ｌｕｐａｓｏｌとして販売されているものなどのポリアミンを酸塩化物と反応させることによって製造することができる。
【００６３】
顆粒の場合、好ましい粒径は、５０〜１０００μｍ、好ましくは５０〜５００μｍ、最も好ましくは１００〜２５０μｍである。カプセルの場合、好ましい粒径は、１〜１０００μｍ、好ましくは５〜２００μｍ、最も好ましくは１０〜１００μｍである。
【００６４】
スラリー化した固体又はカプセル化形態における酵素の添加は、作業者の安全にとって特に有利であるが、その理由は、製造中のエアゾール化リスクを最小化する機能を有し、固体形態（ダスティング）及び液体形態（微細エアゾール、特に＜５μｍのもの）からの従来のリスクを軽減するためである。
【００６５】
液相
本発明の液体洗濯洗剤組成物は、固体酵素粒子が分散している液相を含む。
【００６６】
液相は、当該液体の５重量％〜６０重量％のアルコールを含む。アルコールについては、以下でより詳細に説明する。
【００６７】
液相は、天然又は合成的に誘導された脂肪族アルコールエトキシレート非イオン性界面活性剤を含み得る。好ましい合成的に誘導された脂肪族アルコールエトキシレート非イオン性界面活性剤、又はオキソ合成プロセスから誘導されたもの、すなわち、いわゆるオキソ合成非イオン性界面活性剤。上記の組成物は、当該組成物の０重量％〜３０重量％、又は更には０．１重量％〜２５重量％の脂肪族アルコールエトキシレート非イオン性界面活性剤を含み得る。
【００６８】
エトキシ化非イオン性界面活性剤は、例えば、一級及び二級アルコールエトキシレート、特にアルコール１モル当たり平均１〜５０モル、又は更には２０モルのエチレンオキシドでエトキシ化されたＣ８〜Ｃ２０脂肪族アルコール、より特にアルコール１モル当たり平均１〜１０モルのエチレンオキシドでエトキシ化されたＣ１０〜Ｃ１５一級及び二級脂肪族アルコールであってよい。
【００６９】
エトキシ化アルコール非イオン性界面活性剤は、例えば、３〜８モルのエチレンオキシドと、１モルの、９〜１５個の炭素原子を有する一級アルコールとの縮合生成物であり得る。
【００７０】
非イオン性界面活性剤は、式Ｒ（ＥＯ）ｎ（式中、Ｒは、４〜３０個の炭素原子のアルキル鎖を表し、（ＥＯ）は、エチレンオキシドモノマーの１単位を示し、ｎは、０．５〜２０の平均値を有する）の脂肪族アルコールエトキシレートを含み得る。
【００７１】
上記の組成物は、他の非イオン性界面活性剤、好ましくは、天然又は合成非イオン性界面活性剤を含み得る。
【００７２】
アルコール
液相は、当該組成物の５重量％〜４０重量％、又は更には５重量％〜２０重量％、又は更には５重量％〜１５重量％のアルコールを含み、好ましくは、当該アルコールは、２０〜４００の分子量を有し、かつアルコールｅＲＨ試験を介して測定したときに２０℃で５０％〜８０％、又は更には５２％〜７５％のｅＲＨを有する。
【００７３】
アルコールｅＲＨ試験は、脱イオン水中８０％アルコールの溶液を調製する工程と、続いて、室温（２０℃＋／−１℃）で、較正したＲｏｔｒｏｎｉｃ  Ｈｙｇｒｏｌａｂ  ｍｅｔｅｒ（深さ１４ｍｍのプラスチックサンプルライナにおいて）にこれを添加する工程と、これを２５分間較正する工程と、最後に、記録されたｅＲＨを測定する工程とを含む。用いたサンプルの体積は、プラスチックサンプルライナを充填するのに十分であった。
【００７４】
「アルコール」とは、本明細書では、全てまとめたとき、それぞれが２０〜４００の分子量を有し、かつアルコールｅＲＨ試験を介して測定したときに２０℃で５０％〜８０％の、化合物又は混合物の全体ｅＲＨを有する、単一化合物又は化合物の混合物のいずれかを意味する。理論に束縛されるものではないが、アルコールは、少なくとも１つのＯＨ単位、好ましくはポリオール及びジオール、より好ましくはジオールを含む任意の化合物である。好ましいジオールとしては、グリコールが挙げられる。
【００７５】
アルコールは、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択され得る。
【００７６】
好ましくは、アルコールは、エチレングリコール、１，２プロパンジオール、２，３−ブタンジオール、１，３ブタンジオール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択され得る。
【００７７】
より好ましくは、アルコールは、１，２プロパンジオール、ジプロピレングリコール、ポリプロピレングリコール、２，３−ブタンジオール、ジプロピレングリコールｎ−ブチルエーテル、及びこれらの混合物を含む群から選択される。
【００７８】
最も好ましくは、アルコールは、１，２プロパンジオール、ジプロピレングリコール、ポリプロピレングリコール、ジプロピレングリコールｎ−ブチルエーテル、及びこれらの混合物を含む群から選択され得る。
【００７９】
アニオン性界面活性剤
液体洗濯洗剤組成物は、当該組成物の１０重量％〜３０重量％の非アミン中和直鎖アルキルベンゼンスルホネートを含む。直鎖アルキルベンゼンスルホネートは、液体中に存在してもよく、固体として、又はこれらの混合物として存在してもよい。直鎖アルキルベンゼンスルホネートが固体として存在する場合、好ましくは、層状液晶アルキルベンゼンスルホネートの形態である。「層状液晶」とは、本明細書では、界面活性剤分子が、溶媒の薄層によって分離されている溶融状態の界面活性剤の二層の積層体に構築されている状態である系を意味する。この構造は、流動体の観点における液体特性及び構造化の観点における固体特性の両方を有する。この構造は、そのｄ−スペーシング、二層の厚さの合計、及びシート間の溶媒層によって特徴付けられる。この構造の繰り返し及び周期性によって、結晶相に特徴的な急峻なｘ線回折ピークが得られる。
【００８０】
非アミン中和直鎖アルキルベンゼンスルホネートは、アミン以外の中和物質を用いて、直鎖アルキルベンゼンスルホン酸が、対応する直鎖アルキルベンゼンスルホネートに中和されているものである。このような中和基の非限定的な例としては、ナトリウム、カリウム、アンモニウム、及びこれらの混合物が挙げられる。非アミン中和直鎖アルキルベンゼンスルホネートは、直鎖アルキルベンゼンスルホン酸ナトリウム、アルキルベンゼンスルホン酸カリウム、アルキルベンゼンスルホン酸マグネシウム、又はこれらの混合物であってよい。
【００８１】
例示的な直鎖アルキルベンゼンスルホネートは、Ｃ１０〜Ｃ１６アルキルベンゼンスルホン酸又はＣ１１〜Ｃ１４アルキルベンゼンスルホン酸である。「直鎖」とは、本明細書では、アルキル基が直鎖状であることを意味する。アルキルベンゼンスルホネートは、当該技術分野において周知である。特に有用なのは、アルキル基の炭素原子の平均数が約１１〜１４である、直鎖線状アルキルベンゼンスルホン酸ナトリウム、カリウム、及びマグネシウムである。
【００８２】
洗浄技術は、アミン中和アニオン性界面活性剤、好ましくは、アミン中和直鎖アルキルベンゼンスルホネート、アミン中和アルキルサルフェート、又はこれらの混合物を含み得る。液体洗濯洗剤組成物は、固相、液相、又は両方にアミン中和アニオン性界面活性剤を含み得る。
【００８３】
液体洗濯洗剤組成物は、アルキルサルフェートアニオン性界面活性剤を含み得る。液体洗濯洗剤組成物は、当該洗濯洗剤組成物の１０重量％〜３０重量％、又は更には１５重量％〜２５重量％のアルキルサルフェートアニオン性界面活性剤を含み得る。
【００８４】
アルキルサルフェートアニオン性界面活性剤は、アミンで中和されていなくてもよく、アミンで中和されていてもよく、又はこれらの混合物であってもよく、好ましくは、アルキルサルフェートは、アミンで中和されていない。非アミン中和アルキルサルフェートは、アルキル硫酸ナトリウム、アルキル硫酸カリウム、アルキル硫酸マグネシウム、又はこれらの混合物であってよい。
【００８５】
アルキルサルフェートアニオン性界面活性剤は、液体中に存在してもよく、固体として、又はこれらの混合物として存在してもよい。アルキルサルフェートが固体として存在する場合、好ましくは、層状液晶アルキルサルフェートの形態である。アルキルサルフェートアニオン性界面活性剤は、アルコキシ化されていてもよく、アルコキシ化されていなくてもよく、これらの混合物であってもよい。アルキルサルフェートアニオン性界面活性剤は、主にＣ１２アルキルサルフェートを含む、Ｃ１０〜Ｃ２０一級分枝鎖及びランダムアルキルサルフェート（ＡＳ）であってよい。あるいは、アルキルサルフェートアニオン性界面活性剤は、Ｃ１０〜Ｃ１８二級（２，３）アルキルサルフェートであってよい。あるいは、アルキルサルフェートアニオン性界面活性剤は、Ｃ１０〜Ｃ１８アルキルアルコキシサルフェート（ＡＥｘＳ）（ｘは１〜３０である）であってよい。あるいは、アルキルサルフェートアニオン性界面活性剤は、全ての上記アルキルサルフェートアニオン性界面活性剤の混合物であってよい。アルキルサルフェートアニオン性界面活性剤についての好適なカチオンの非限定的な例としては、ナトリウム、カリウム、アンモニウム、アミン、及びこれらの混合物が挙げられる。
【００８６】
アミン
洗剤組成物は、当該組成物の５重量％未満のヒドロキシル含有アミン化合物、又は更には当該組成物の０．１重量％〜５重量％、又は更には０．１重量％〜４重量％のヒドロキシル含有アミン化合物を含む。「ヒドロキシル含有アミン化合物」とは、本明細書では、アルコール（ＯＨ）基及びアミン基を含む化合物を意味する。ヒドロキシル含有アミン化合物は、モノエタノールアミン、トリエタノールアミン、ジイソプロパノールアミン、トリイソプロパノールアミン、モノアミノヘキサノール、２−［（２−メトキシエチル）メチルアミノ］−エタノール、プロパノールアミン、Ｎ−メチルエタノールアミン、ジエタノールアミン、モノブタノールアミン、イソブタノールアミン、モノペンタノールアミン、１−アミノ−３−（２−メトキシエトキシ）−２−プロパノール、２−メチル−４−（メチルアミノ）−２−ブタノール、６−アミノ−１−ヘキサノール、ヘプタミノール、イソエタリン、ノルエピネフリン、スフィンゴシン、フェニルプロパノールアミン、及びこれらの混合物から選択され得る。
【００８７】
ヒドロキシル含有アミン化合物は、モノエタノールアミン、トリエタノールアミン、及びこれらの混合物を含む群から選択され得る。
【００８８】
好ましくは、ヒドロキシル含有アミン化合物は、５００未満、又は更には２５０未満の分子量を有する。
【００８９】
洗剤組成物は、他のアミン含有化合物を含み得る。
【００９０】
構造化剤
本発明の組成物は、当該組成物の２重量％未満の構造化剤を含み得る。構造化剤が存在する場合、好ましくは、当該組成物は、０．０５重量％〜２重量％、好ましくは０．１重量％〜１重量％の構造化剤を含む。構造化剤は、非ポリマー構造化剤又はポリマー構造化剤から選択され得る。構造化剤は、非ポリマー構造化剤、好ましくは、結晶化可能なグリセリドであり得る。構造化剤は、ポリマー構造化剤、好ましくは、繊維系ポリマー構造化剤、より好ましくは、セルロース繊維系構造化剤であり得る。構造化剤は、結晶化可能なグリセリド、セルロース繊維系構造化剤、ＴｉＯ２、シリカ、及びこれらの混合物から選択され得る。
【００９１】
好適な構造化剤は、好ましくは、十分な降伏応力又は低剪断粘度を付与して、組成物の洗浄性界面活性剤の任意の構造化効果とは独立に、すなわち、当該効果以外によって液体洗濯洗剤組成物を安定化させる成分である。好ましくは、構造化剤は、２１℃、２０ｓｅｃ−１で１〜１５００ｃｐｓの高剪断粘度及び５０００ｃｐｓを超える低剪断粘度（２１℃、０．０５ｓｅｃ−１）を洗濯洗剤組成物に付与する。粘度は、直径４０ｍｍの平板鋼製スピンドル及びギャップサイズ５００μｍを用いて、ＴＡ  ｉｎｓｔｒｕｍｅｎｔｓ製のＡＲ５５０レオメータを使用して測定される。２０ｓ−１における高剪断粘度及び０．５ｓ−１における低剪断粘度は、２１℃で３分間の対数剪断速度掃引０．１−１〜２５−１から得ることができる。
【００９２】
上記の組成物は、非ポリマー結晶質ヒドロキシル官能性構造化剤を含み得る。このような非ポリマー結晶質ヒドロキシル官能性構造化剤は、一般に、結晶化可能なグリセリドを含み、これは、最終的な液体洗濯洗剤組成物への分散を支援するために予め乳化しておいてもよい。このような予め乳化された外部構造剤系の非限定的な例は、（ａ）結晶化可能なグリセリド；（ｂ）アニオン性界面活性剤；及び（ｃ）水、並びに任意に非アミノ官能性有機溶媒を含む。これら各構成成分については、以下に詳細に論じる。
【００９３】
構造化剤は、結晶化可能なグリセリド、好ましくは、硬化ヒマシ油、すなわち「ＨＣＯ」を含むポリマー結晶質ヒドロキシ官能性構造化剤であってよい。ＨＣＯは、本明細書で使用するとき、最も一般的には、非ポリマー結晶質ヒドロキシ官能性構造化剤プレミックスにおいて結晶化することができる限り、任意の硬化ヒマシ油又はその誘導体であってよい。ヒマシ油としては、ヒドロキシル基を組み込むＣ１０〜Ｃ２２アルキル又はアルケニル部分を含む、グリセリド、特にトリグリセリドを挙げることができる。ＨＣＯを生成するために、ヒマシ油を水素化して、出発油中にリシノレイル部分として存在し得る二重結合を変換する。その結果、リシノレイル部分は、飽和ヒドロキシアルキル部分、例えば、ヒドロキシステアリルに変換される。本明細書におけるＨＣＯは、トリヒドロキシステアリン、ジヒドロキシステアリン、及びこれらの混合物から選択され得る。ＨＣＯは、固形、溶融物、及びこれらの混合物から選択されるものが挙げられるが、これらに限定されない任意の好適な出発形態で加工することができる。ＨＣＯは、典型的には、外部構造化系中に２重量％〜１０重量％、３重量％〜８重量％、又は４重量％〜６重量％の濃度で存在する。完成した洗濯洗剤製品に送達される硬化ヒマシ油の対応する百分率は、１．０％未満、典型的には０．１％〜０．８％であってよい。ＨＣＯは、洗濯洗剤組成物の０．０１重量％〜１重量％、又は更には０．０５重量％〜０．８重量％の濃度で存在し得る。
【００９４】
本発明で使用するＨＣＯとしては、市販されているものが挙げられる。本発明で使用する市販のＨＣＯの非限定的な例としては、Ｒｈｅｏｘ，Ｉｎｃ．製のＴＨＩＸＣＩＮ（登録商標）が挙げられる。有用なＨＣＯの更なる例は、米国特許第５，３４０，３９０号に見出すことができる。
【００９５】
硬化ヒマシ油の使用が好ましいが、任意の結晶化可能なグリセリドを本発明の範囲内で使用することができる。好ましい結晶化可能なグリセリドは、４０℃〜１００℃の融点を有する。
【００９６】
構造化剤は、繊維系構造化剤を含み得る。構造化剤は、典型的には高いアスペクト比（長さの断面寸法に対する比）を有する、ナノサイズのセルロースフィブリルから構成される材料であるミクロフィブリル化セルロース（ＭＦＣ）を含み得る。典型的な横方向寸法は、１〜１００又は５〜２０ナノメートルであり、長手方向寸法は、ナノメートル〜数マイクロメートルの広範囲にわたる。構造化の改善のために、ミクロフィブリル化セルロースは、好ましくは、５０〜２００，０００、より好ましくは、１００〜１０，０００の平均アスペクト比（ｌ／ｄ）を有する。ミクロフィブリル化セルロースは、細菌セルロース、柑橘類繊維、及び植物（例えば、テンサイ、チコリー根、ジャガイモ、ニンジンなど）を含む任意の好適な供給源に由来し得る。
【００９７】
構造化剤は、二酸化チタン、二酸化スズ、修飾ＴｉＯ２の任意の形態、ＴｉＯ２又は酸化第二スズ、オキシ塩化ビスマス又はオキシ塩化ビスマスでコーティングされたＴｉＯ２、シリカでコーティングされたＴｉＯ２又は金属酸化物でコーティングされたＴｉＯ２、及びこれらの混合物からなる群から選択され得る。修飾ＴｉＯ２は、炭素修飾ＴｉＯ２、金属ドープＴｉＯ２、又はこれらの混合物を含み得る。金属ドープＴｉＯ２は、白金ドープＴｉＯ２、ロジウムドープＴｉＯ２から選択され得る。
【００９８】
構造化剤は、シリカを含み得る。当業者は、使用するのに好適なシリカ物質を理解している。シリカは、ヒュームドシリカを含み得る。
【００９９】
水及び平衡相対湿度
液体洗濯洗剤組成物は、当該組成物の０．５重量％〜１５重量％の水を含む。液体洗濯洗剤組成物は、当該組成物の０．５重量％〜１２重量％、又は更には０．５重量％〜１０重量％の水を含み得る。
【０１００】
液体洗濯洗剤組成物は、２０℃で６５％未満の平衡相対湿度を有し得る。
【０１０１】
当該組成物のｅＲＨを測定するのに好ましい方法は、組成物ｅＲＨ試験を介するものである。組成物ｅＲＨ試験は、室温（２０℃＋／−１℃）で、較正されたＲｏｔｒｏｎｉｃ  Ｈｙｇｒｏｌａｂ  ｍｅｔｅｒ（深さ１４ｍｍのプラスチックサンプルライナにおいて）に当該組成物のサンプルを添加する工程と、これを２５分間較正する工程と、最後に、記録されたｅＲＨを測定する工程とを含む。用いたサンプルの体積は、プラスチックサンプルライナを充填するのに十分であった。
【０１０２】
補助剤成分
液体洗濯洗剤組成物は、補助成分を含み得る。補助成分は、漂白剤、漂白触媒、染料、色調染料、アルコキシル化ポリアミン及びポリエチレンイミンを含む洗浄ポリマー、汚れ放出ポリマー、界面活性剤、溶媒、移染抑制剤、キレート剤、酵素、香料、カプセル化香料、ポリカルボキシレート、構造化剤、及びこれらの混合物を含む群から選択され得る。
【０１０３】
水溶性パウチ
液体洗濯洗剤組成物は、水溶性単位用量物品内に存在し得、当該組成物は、当該組成物の０．５重量％〜１５重量％、好ましくは０．５重量％〜１２重量％、より好ましくは０．５重量％〜１０重量％の水を含む。このような実施形態では、水溶性単位用量物品は、単位用量物品が水溶性フィルムによって包囲された少なくとも１つの内部区画を含むような形状の少なくとも１枚の水溶性フィルムを含む。少なくとも１つの区画は、液体洗濯洗剤組成物を含む。水溶性フィルムは、保管中に液体洗濯洗剤組成物が区画から漏れ出さないように封止される。しかし、水溶性単位用量物品を水に添加すると、水溶性フィルムが溶解して、内部区画の内容物が洗浄液中へと放出される。
【０１０４】
区画は、組成物を保持する、単位用量物品内の閉じた内部空間を意味すると理解されるべきである。好ましくは、単位用量物品は水溶性フィルムを含む。単位用量物品は、水溶性フィルムが組成物を完全に取り囲み、それによって組成物が存在する区画が画定されるように製造される。単位用量物品は、２枚のフィルムを含んでよい。第１のフィルムは、組成物が添加される開放された区画を含むような形状であってよい。次いで、区画の開口部を閉じるような配向で第１のフィルムを第２のフィルムで覆う。次いで、封止領域に沿って第１及び第２のフィルムを互いに封止する。フィルムについては、以下により詳細に説明する。
【０１０５】
単位用量物品は、２つ以上の区画、更には少なくとも２つの区画、又は更には少なくとも３つの区画を含んでよい。区画は、重ね合わせ配向、すなわち、一方が他方の上に位置するように配置してよい。あるいは、区画は、並列配向、すなわち、一方が他方に隣接するように位置してもよい。更に、区画は、「タイヤとリム」の配置で配向してもよく、すなわち、第１の区画が第２の区画に隣接して位置するが、第１の区画が第２の区画を少なくとも部分的に取り囲むが、第２の区画を完全には封入しない。あるいは、１つの区画が別の区画内に完全に封入されていてもよい。
【０１０６】
本発明のフィルムは、水溶性又は水分散性である。水溶性フィルムは、好ましくは２０〜１５０マイクロメートル、好ましくは３５〜１２５マイクロメートル、更により好ましくは５０〜１１０マイクロメートル、最も好ましくは約７６マイクロメートルの厚さを有する。
【０１０７】
好ましくは、最大孔径２０マイクロメートルのガラスフィルターの使用後に本明細書に記載の方法によって測定したとき、フィルムは、少なくとも５０％、好ましくは少なくとも７５％、又は更には少なくとも９５％の水溶性を有する。
【０１０８】
予め秤量した３Ｌのビーカーに、５グラム±０．１グラムのフィルム材料を添加し、２Ｌ±５ｍＬの蒸留水を添加する。これを、６００ｒｐｍに設定した電磁攪拌器（Ｌａｂｌｉｎｅモデル番号１２５０又は等価物）及び５ｃｍの電磁攪拌器により、３０℃にて３０分間激しく攪拌した。次いで、この混合物を、上に定義した孔径（最大２０マイクロメートル）の折り畳まれた定性焼結ガラスフィルターで濾過する。回収した濾液から任意の従来の方法によって水を乾燥させ、残った材料の重量を測定する（これが溶解又は分散画分である）。次いで、溶解度又は分散度の割合を計算することができる。
【０１０９】
好ましいフィルム材料は、好ましくは、ポリマー材料である。フィルム材料は、当該技術分野において既知であるとおり、例えば、ポリマー材料の注型成形、吹込成形、押出成形又は吹込押出成形によって得ることができる。
【０１１０】
パウチ材料として使用するのに好適な好ましいポリマー、コポリマー、又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有していてよく、好ましくは、約１０００〜１，０００，０００、より好ましくは、約１０，０００〜３００，０００、更により好ましくは、約２０，０００〜１５０，０００である。
【０１１１】
ポリマー混合物をパウチ材料として使用してもよい。
【０１１２】
好ましいフィルムは、冷水、すなわち、加熱されていない蒸留水中で良好な溶解を呈するものである。好ましくは、このようなフィルムは２４℃の温度、更により好ましくは１０℃の温度にて良好な溶解を示す。良好な溶解とは、上記のとおり、最大孔径２０マイクロメートルのガラスフィルターの使用後に本明細書に記載の方法によって測定したとき、フィルムが、少なくとも５０％、好ましくは少なくとも７５％、又は更には少なくとも９５％の水溶性を呈することを意味する。
【０１１３】
好ましいフィルムは、Ｍｏｎｏｓｏｌによって商品参照番号Ｍ８６３０、Ｍ８９００、Ｍ８７７９、Ｍ８３１０として供給されているものである。
【０１１４】
フィルムは、不透明、半透明又は透明であってよい。
【０１１５】
印刷領域は、フレキソ印刷又はインクジェット印刷などの標準的な技術を使用して得ることができる。
【０１１６】
フィルムは、例えば苦味剤などの嫌悪剤を含んでよい。好適な苦味剤としては、ナリンギン、オクタ酢酸スクロース、塩酸キニーネ、安息香酸デナトニウム、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【０１１７】
製造方法
本発明の液体洗濯洗剤組成物は、当該技術分野において既知の任意の好適な製造技術を使用して製造され得る。当業者であれば、本発明に係る組成物を製造するのに適切な方法及び機器を理解するであろう。
【０１１８】
好ましいプロセスは、固相を添加する工程を含み、当該固相は、粒子を含み、当該粒子は、５００μｍ未満の平均粒径分布を有する。
【０１１９】
使用方法
本発明の組成物又は単位用量物品は、洗濯物が既に存在しているか、又は洗濯物が加えられる洗浄液に添加してよい。上記の組成物又は物品は、洗濯機の稼働中に使用してよく、ドラムに直接添加しても、引き出し式ディスペンサー（dispenser drawer）に添加してもよい。洗濯機は、自動洗濯機であっても、半自動洗濯機であってもよい。布地柔軟剤又はしみ除去剤などの他の洗濯洗剤組成物と組み合わせて使用してもよい。洗浄液に添加する前に、前処理組成物として、しみに使用してもよい。
【０１２０】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【実施例】
【０１２１】
様々な組成物の粘度を比較した。以下の組成物を調製した。
【０１２２】
【表１】
0006695906.tif 000002
【０１２３】
１０ｃｍのインペラを備えるＩＫＡ  Ｅｕｒｏｓｔａｒ  ２００ミキサを有する１Ｌのビーカーを調製することによって、組成物を製造した。これを２５０ｒｐｍで稼働させた。回転インペラを備えるビーカーに溶媒材料を添加し、続いて、界面活性剤材料を添加した。これらが分散したら、ポリマー及び塩を添加した。組成物のｐＨを、ＮａＯＨを用いて約＆（Ｓａｒｔｏｒｉｕｓ  ＰＴ−１０  ｐＨ計を用いて測定）に調整した。次いで、残りの成分を添加し、混合した。全ての材料を、Ｍｅｔｔｌｅｒ  Ｔｏｌｅｄｏ  ＰＢ３００２−Ｓ秤を用いて計量した。
【０１２４】
組成物Ｃは、当該組成物Ｃの６．２５重量％のモノエタノールアミンを含んでいた。組成物Ａ及びＢは、モノエタノールアミンを含んでいなかった。
【０１２５】
次いで、２０℃で１０００μｍのギャップを使用してＴＡ  ｉｎｓｔｒｕｍｅｎｔｓ製のレオメータＤＨＲ１を用いて、組成物の粘度を測定した。サンプルを、０．０５ｓ−１で１分間平衡化し、続いて、１０分間にわたって０．０５ｓ−１〜１２００ｓ−１の流動曲線を測定した。０．０５ｓ−１〜１０００ｓ−１の結果を表２に示す。
【０１２６】
【表２】
0006695906.tif 000003
【０１２７】
０．０５ｓ−１における剪断力は、消費者が組成物を注いでいる間に組成物が受ける剪断力に相当する。１０００ｓ−１における剪断力は、製造中に組成物が受ける剪断力に相当する。
【０１２８】
６．２５％のモノエタノールアミンを含む組成物Ｃは、消費者注入剪断力及び加工投入剪断力に相当する低及び高剪断力において、許容可能な粘度プロファイルを示す。
【０１２９】
しかし、組成物Ａにおいてモノエタノールアミンを除去した（そして、対応して、界面活性剤を炭酸ナトリウムで中和した）とき、粘度が許容不可能なレベルに増大する。
【０１３０】
モノエタノールアミンが除去され、界面活性剤が炭酸ナトリウムで中和されているだけでなく、１，２−プロパンジオールも添加されている組成物Ｂは、本発明に相当する。粘度は、許容可能なレベルまで戻る。